(57)【要約】【課題】  携帯情報端末において、録画動作中に、利用者の意思に反して、当該録画動作についての情報を第三者に知らせることを回避できるようにする。【解決手段】  携帯情報端末１において、一般的な録画動作が実行される際には、モニタ４０に、録画されている番組の画像、録画時間表示欄４０１および録画チャンネル表示欄４０２が表示され、さらに、録画時間表示欄４０１の中に録画中画像４０１Ａが表示される。なお、携帯情報端末１において、録画動作においてシークレット動作が実行され、当該シークレット動作として、録画時間表示欄４０１、録画チャンネル表示欄４０２、および、録画中画像４０１Ａの表示を停止させる旨が設定されていると、録画動作中のモニタ４０には、録画されている番組の画像のみが表示されるようになる。【選択図】        図１
2005347783.tif 000002
【特許請求の範囲】
【請求項１】
番組データを受信する受信手段と、
前記受信手段の受信する番組データを記録する記録手段と、
前記記録手段に記録させる番組データを指定する情報である指定情報の少なくとも一部を記憶する指定情報記憶手段と、
前記指定情報によって指定される番組データを、前記受信手段に受信させ、さらに、前記記録手段に記録させる、記録制御手段と、
前記記録手段が番組データを記録している期間中に、前記記録手段が番組データを記録していることを報知する動作である記録報知動作を実行する報知手段と、
情報の入力を受付ける入力手段と、
前記入力手段に所定の情報が入力されたことを記憶する入力情報記憶手段とを備え、
前記報知手段は、前記入力情報記憶手段に前記所定の情報を入力されたことが記憶されている場合、前記記録報知動作の少なくとも一部の実行を停止する、携帯情報端末。
【請求項２】
情報を表示する表示手段をさらに備え、
前記報知手段は、前記記録報知動作として前記表示手段に前記指定情報を表示させ、さらに、前記入力情報記憶手段に前記所定の情報を入力されたことが記憶されている場合、前記表示手段への前記指定情報の少なくとも一部の表示を停止させることにより前記記録報知動作の少なくとも一部の実行を停止する、請求項１に記載の携帯情報端末。
【請求項３】
前記指定情報は、前記受信手段の受信するチャンネルを指定する情報を含む、請求項１または請求項２に記載の携帯情報端末。
【請求項４】
前記指定情報は、前記記録手段に番組データの記録を開始させる時刻および終了させる時刻を指定する情報を含む、請求項１〜請求項３のいずれかに記載の携帯情報端末。
【請求項５】
情報を表示する表示手段をさらに備え、
前記報知手段は、前記記録報知動作として、前記表示手段に所定の画像を表示させ、前記入力情報記憶手段に前記所定の情報を入力されたことが記憶されている場合、前記表示手段への前記所定の画像を停止させることにより前記記録報知動作の少なくとも一部の実行を停止する、請求項１〜請求項４のいずれかに記載の携帯情報端末。
【請求項６】
点灯状態および消灯状態を取る発光素子をさらに備え、
前記報知手段は、前記記録報知動作として、前記発光素子を発光させ、前記入力情報記憶手段に前記所定の情報を入力されたことが記憶されている場合、前記発光素子の発光を停止させることにより前記記録報知動作の少なくとも一部の実行を停止する、請求項１〜請求項５のいずれかに記載の携帯情報端末。
【請求項７】
前記所定の情報は、前記記録報知動作の中の前記報知手段に実行を停止させる動作を特定する情報を含み、
前記入力情報記憶手段は、前記所定の情報が入力されたこととともに、前記所定の情報を記憶し、
前記報知手段は、前記入力情報記憶手段に前記所定の情報を入力されたことが記憶されている場合、前記記録報知動作の中の、前記所定の情報によって特定される動作の実行を停止する、請求項１〜請求項６のいずれかに記載の携帯情報端末。
【請求項８】
情報を出力する出力手段と、
前記出力手段に、前記記録手段が番組データを記録している期間中、前記記録手段の記録する番組データを出力させる出力制御手段とをさらに備え、
前記出力制御手段は、前記入力情報記憶手段に前記所定の情報を入力されたことが記憶されている場合、前記記録手段が番組データを記録している期間中、前記出力手段に、前記記録手段の記録する番組データの出力を停止させる、請求項１〜請求項７に記載の携帯情報端末。
【請求項９】
情報を出力する出力手段と、
前記出力手段における情報の出力態様を制御する出力制御手段とをさらに備え、
前記出力制御手段は、前記入力情報記憶手段に前記所定の情報を入力されたことが記憶されている場合、前記記録手段が番組データを記録している期間中、前記出力手段に、前記出力手段における情報の出力を停止させる、請求項１〜請求項７に記載の携帯情報端末。
【請求項１０】
前記入力手段は、外部から操作されることにより情報を入力される操作手段を含み、前記入力情報記憶手段に前記所定の情報を入力されたことが記憶されている場合、特定の情報が入力されるまで、前記操作手段が操作されても情報の入力を受付けない、請求項１〜請求項９のいずれかに記載の携帯情報端末。
【請求項１１】
番組データを受信する受信手段と、前記受信手段の受信する番組データを記録する記録手段とを備える携帯情報端末の制御方法であって、
前記記録手段に記録させる番組データを指定する情報である指定情報の少なくとも一部を記憶するステップと、
前記指定情報によって指定される番組データを、前記受信手段に受信させ、さらに、前記記録手段に記録させるステップと、
前記記録手段が番組データを記録している期間中に、前記記録手段が番組データを記録していることを報知する動作である記録報知動作を実行するステップと、
情報の入力を受付けるステップと、
所定の情報が入力された場合、前記所定の情報が入力されたことを記憶するステップと、
前記所定の情報を入力されたことが記憶されている場合、前記記録報知動作の少なくとも一部の実行を停止するステップとを備える、携帯情報端末の制御方法。
【発明の詳細な説明】
【技術分野】
【０００１】
本発明は、携帯情報端末に関し、特に、録画機能を備える携帯情報端末およびその制御方法に関するものである。
【背景技術】
【０００２】
近年、据置き型の機器だけでなく、携帯が可能な情報端末（以下、携帯情報端末と呼ぶ）においても、メールの送受信や、放送波やデジタル放送などの番組の視聴や録画が可能となっている。
【０００３】
そして、このような携帯情報端末について、携帯が可能であるという点から、個人的に利用されるということを観点とした技術が開示されている。このような技術の具体例としては、たとえば、引用文献１に開示されているような、携帯電話機の利用者以外の第三者に見られたくない送信メールまたは受信メールをシークレットメールとして設定し、そのシークレットメールの少なくとも本文は表示しないようにするような技術や、引用文献２に開示されているような、携帯電話機の番組録画モードにおいて録画指示がなされた放送番組と、その携帯電話機についての識別情報とを対応付けたインデックス情報が、録画番組の再生指示の際に必要とされる技術がある。
【０００４】
このような技術によると、携帯情報端末の一種である携帯電話機において、どのようなメールや録画番組が記録されているかについての情報を、当該電話機の利用者の意思に反して、第三者が知ることを回避できるという点で、当該電話機の利用者のプライバシー保護が図ることができていた。
【特許文献１】特開２００２−３７３１４０号公報
【特許文献２】特開２００３−２９８９８６号公報
【発明の開示】
【発明が解決しようとする課題】
【０００５】
しかしながら、従来の携帯情報端末では、当該携帯情報端末が現在行なっている動作を、第三者が利用者の意思に反して知ることができないようにするという観点から、利用者のプライバシーの保護を図ることができなかった。
【０００６】
特に、携帯情報端末において録画動作が行なわれている場合、当該携帯情報端末の利用者は、当該携帯情報端末を監視する必要が無いと判断して放置してしまいがちである。つまり、携帯情報端末において録画動作が行なわれているときというのは、特に、第三者が利用者の意思に反して、当該携帯情報端末の現在行なっている動作を知る確率の高いときと考えられる。
【０００７】
本発明は、かかる実情に鑑み考え出されたものであり、その目的は、録画動作中に、利用者の意思に反して、当該録画動作についての情報を第三者に知らせることを回避することのできる携帯情報端末およびその制御方法を提供することである。
【課題を解決するための手段】
【０００８】
本発明に従った携帯情報端末は、番組データを受信する受信手段と、前記受信手段の受信する番組データを記録する記録手段と、前記記録手段に記録させる番組データを指定する情報である指定情報の少なくとも一部を記憶する指定情報記憶手段と、前記指定情報によって指定される番組データを、前記受信手段に受信させ、さらに、前記記録手段に記録させる、記録制御手段と、前記記録手段が番組データを記録している期間中に、前記記録手段が番組データを記録していることを報知する動作である記録報知動作を実行する報知手段と、情報の入力を受付ける入力手段と、前記入力手段に所定の情報が入力されたことを記憶する入力情報記憶手段とを備え、前記報知手段は、前記入力情報記憶手段に前記所定の情報を入力されたことが記憶されている場合、前記記録報知動作の少なくとも一部の実行を停止することを特徴とする。
【０００９】
また、本発明に従った携帯情報端末は、情報を表示する表示手段をさらに備え、前記報知手段は、前記記録報知動作として前記表示手段に前記指定情報を表示させ、さらに、前記入力情報記憶手段に前記所定の情報を入力されたことが記憶されている場合、前記表示手段への前記指定情報の少なくとも一部の表示を停止させることにより前記記録報知動作の少なくとも一部の実行を停止することが好ましい。
【００１０】
また、本発明に従った携帯情報端末では、前記指定情報は、前記受信手段の受信するチャンネルを指定する情報を含むことが好ましい。
【００１１】
また、本発明に従った携帯情報端末では、前記指定情報は、前記記録手段に番組データの記録を開始させる時刻および終了させる時刻を指定する情報を含むことが好ましい。
【００１２】
また、本発明に従った携帯情報端末は、情報を表示する表示手段をさらに備え、前記報知手段は、前記記録報知動作として、前記表示手段に所定の画像を表示させ、前記入力情報記憶手段に前記所定の情報を入力されたことが記憶されている場合、前記表示手段への前記所定の画像を停止させることにより前記記録報知動作の少なくとも一部の実行を停止することが好ましい。
【００１３】
また、本発明に従った携帯情報端末は、点灯状態および消灯状態を取る発光素子をさらに備え、前記報知手段は、前記記録報知動作として、前記発光素子を発光させ、前記入力情報記憶手段に前記所定の情報を入力されたことが記憶されている場合、前記発光素子の発光を停止させることにより前記記録報知動作の少なくとも一部の実行を停止することが好ましい。
【００１４】
また、本発明に従った携帯情報端末では、前記所定の情報は、前記記録報知動作の中の前記報知手段に実行を停止させる動作を特定する情報を含み、前記入力情報記憶手段は、前記所定の情報が入力されたこととともに、前記所定の情報を記憶し、前記報知手段は、前記入力情報記憶手段に前記所定の情報を入力されたことが記憶されている場合、前記記録報知動作の中の、前記所定の情報によって特定される動作の実行を停止することが好ましい。
【００１５】
また、本発明に従った携帯情報端末は、情報を出力する出力手段と、前記出力手段に、前記記録手段が番組データを記録している期間中、前記記録手段の記録する番組データを出力させる出力制御手段とをさらに備え、前記出力制御手段は、前記入力情報記憶手段に前記所定の情報を入力されたことが記憶されている場合、前記記録手段が番組データを記録している期間中、前記出力手段に、前記記録手段の記録する番組データの出力を停止させることが好ましい。
【００１６】
また、本発明に従った携帯情報端末は、情報を出力する出力手段と、前記出力手段における情報の出力態様を制御する出力制御手段とをさらに備え、前記出力制御手段は、前記入力情報記憶手段に前記所定の情報を入力されたことが記憶されている場合、前記記録手段が番組データを記録している期間中、前記出力手段に、前記出力手段における情報の出力を停止させることが好ましい。
【００１７】
また、本発明に従った携帯情報端末では、前記入力手段は、外部から操作されることにより情報を入力される操作手段を含み、前記入力情報記憶手段に前記所定の情報を入力されたことが記憶されている場合、特定の情報が入力されるまで、前記操作手段が操作されても情報の入力を受付けないことが好ましい。
【００１８】
本発明に従った携帯情報端末の制御方法は、番組データを受信する受信手段と、前記受信手段の受信する番組データを記録する記録手段とを備える携帯情報端末の制御方法であって、前記記録手段に記録させる番組データを指定する情報である指定情報の少なくとも一部を記憶するステップと、前記指定情報によって指定される番組データを、前記受信手段に受信させ、さらに、前記記録手段に記録させるステップと、前記記録手段が番組データを記録している期間中に、前記記録手段が番組データを記録していることを報知する動作である記録報知動作を実行するステップと、情報の入力を受付けるステップと、所定の情報が入力された場合、前記所定の情報が入力されたことを記憶するステップと、前記所定の情報を入力されたことが記憶されている場合、前記記録報知動作の少なくとも一部の実行を停止するステップとを備えることを特徴とする。
【発明の効果】
【００１９】
本発明によると、携帯情報端末において、番組データの記録が行なわれている場合、その旨を報知する動作（記録報知動作）がなされるが、入力手段に所定の情報を入力しておけば、記録報知動作の少なくとも一部の実行が停止される。
【００２０】
これにより、携帯情報端末の利用者は、番組データを記録している際、当該番組データの記録動作が行なわれていることを、記録報知動作により認識することもできるし、報知したくない場合には、当該記録報知動作の少なくとも一部の実行を停止させることもできる。つまり、携帯情報端末において、記録報知動作の少なくとも一部の実行を停止させることにより、利用者の意図に反して第三者が録画動作についての情報を知ることを回避できる。
【００２１】
また、本発明によると、携帯情報端末において、記録報知動作として、番組データを指定する情報が表示され、かつ、当該表示が、所定の情報が入力されることにより、停止される。なお、番組データを指定する情報には、たとえば、受信手段が当該番組データを受信するチャンネルや、番組データの記録が開始される時刻および終了される時刻を指定する情報が含まれる。
【００２２】
また、本発明によると、携帯情報端末において、記録報知動作として、所定の画像が表示され、かつ、当該所定の画像の表示が、所定の情報が入力されることにより、停止される。
【００２３】
また、本発明によると、携帯情報端末において、記録報知動作として、発光素子が発光し、かつ、当該発光素子の発光は、所定の情報が入力されることにより、停止される。
【００２４】
また、本発明によると、携帯情報端末において、記録手段で記録されている番組データが出力手段によって出力されることにより、利用者は、当該記録されている番組を確認することができ、さらに、所定の情報を入力することによって、当該記録されている番組を第三者には知られないようにすることもできる。
【００２５】
また、本発明によると、携帯情報端末において、記録報知動作の少なくとも一部を停止させる際、どの動作を停止させるかを、利用者が、所定の情報として情報を入力することにより、決定できる。
【００２６】
また、本発明によると、携帯情報端末において、記録手段で記録されている番組データが出力手段によって出力されることにより、利用者は、当該記録されている番組を確認することができ、さらに、所定の情報を入力することによって、出力手段による情報の出力自体が停止する。出力手段による情報の出力を停止させることにより、携帯情報端末の利用者は、第三者に、携帯情報端末が動作自体を行なっていないものと思わせることができる。つまり、第三者に、携帯情報端末が録画動作を行なっていることを知らせないことにより、録画動作についての情報を第三者に知らせることを回避することができる。
【００２７】
また、本発明によると、携帯情報端末は、所定の情報を入力されることにより、特定の情報が入力されるまで、操作手段を操作しても、入力手段への情報の入力ができない状態とされる。つまり、第三者に、携帯情報端末がいかなる動作も行なわない状態にあると思わせることにより、携帯情報端末が録画動作を行なっていることを知らせないようにし、これにより、録画動作についての情報を第三者に知らせることを回避することができる。
【発明を実施するための最良の形態】
【００２８】
以下、図面を参照しつつ、本発明に従った携帯情報端末の一実施の形態について説明する。
【００２９】
図１は、本発明の一実施の形態である携帯情報端末１の斜視図である。
【００３０】
携帯情報端末１は、その外郭を外装部１Ａに覆われている。携帯情報端末１は、電話および電子メールの送受信の機能を有するとともに、放送波（デジタル放送を含む）を受信する機能も備えた端末である。携帯情報端末１は、受信したテレビ番組を出力することができるとともに、当該テレビ番組を録画することもできる。
【００３１】
携帯情報端末１では、外装部１Ａの表面に、モニタ４０が備えられている。また、外装部１Ａのモニタ４０が備えられている面と同じ面には、録画動作が実行されて際に点灯するＬＥＤ（Light Emitting Diode）３１、番組の受信が行なわれている際に点灯するＬＥＤ３２、および、携帯情報端末１が電源を投入されている（電源ＯＮの状態にある）ときに点灯するＬＥＤ３３が備えられている。また、同じ面には、携帯情報端末１に対して外部から情報を入力する際に利用されるキーとして、モニタ４０に表示されるカーソルを上下左右のそれぞれの方向に移動させるための上キー２１、下キー２２、左キー２３、および、右キー２４、ならびに、選択キー２５、および、取消キー２６が備えられている。さらに、同じ面には、携帯情報端末１において利用者の同定を行なう際に指紋を入力するための指紋入力部５０が備えられている。
【００３２】
携帯情報端末１は、ＳＤカード（Secure Digital memory card）１００のような、当該携帯情報端末１に対して着脱可能なメモリに記憶された情報の再生や、そのようなメモリに対する情報の記録も行なうことができる。携帯情報端末１には、その側面に、図示しないカード用のスロットが備えられており、ＳＤカード１００は、図１に矢印Ｐで示される方向に差し込まれることにより、当該スロットに装着される。このように装着されたＳＤカード１００に対して、携帯情報端末１は、情報の読取および書込みを行なうことができる。
【００３３】
また、携帯情報他端末１では、外装部１Ａの一部に、外部からのデータを受信するためのアンテナ１３が装着されている。
【００３４】
図１では、携帯情報端末１において、一般的な録画動作が行なわれている際の、モニタ４０における表示態様が記載されている。「一般的な」とは、後述する「シークレット動作が実行されていない」ことを意味する。図１では、モニタ４０に、録画されている番組の画像が表示され、さらに、当該番組の画像に被せられるように、録画の開始時刻および終了時刻を表示する録画時間表示欄４０１、および、録画されている番組のチャンネルを示す録画チャンネル表示欄４０２が表示されている。なお、録画時間表示欄４０１には、録画の開始時刻（図１では「１０：１０」と記載）および終了時刻（図１では「１２：３０」と記載）に加えて、録画中であることを示す円形の録画中画像４０１Ａが表示されている。
【００３５】
図２は、携帯情報端末１の制御ブロック図である。
【００３６】
携帯情報端末１には、当該携帯情報端末１の動作を全体的に制御する制御部１０が備えられている。制御部１０は、マイコン（マイクロコンピュータ）を含む。また、携帯情報端末１には、図１を用いて説明したようにアンテナ１３が備えられ、そして、アンテナ１３には、電子メールや電話のためのデータの通信を制御する通信制御部１４と、テレビ番組の受信を制御するためのチューナ１５が接続されている。アンテナ１３で受信されたテレビ番組のデータは、チューナ１５、変換部１６、および、エンコーダ１７を介して、制御部１０に導入される。エンコーダ１７で適宜エンコードされたデータは、記録部１１に記録される。記録部１１は、ハードディスク等の内蔵型の記録媒体によって構成される。
【００３７】
上記したＳＤカード１００は、外部メディアドライバ１２を介して情報の読込および書込みをなされる。制御部１０は、外部から受信した番組のデータを、外部メディアドライバ１２を介して、ＳＤカード１００に記録することもできる。また、制御部１０は、外部メディアドライバ１２を介して、ＳＤカード１００に記録されたデータを読込む。
【００３８】
制御部１０は、指紋入力部５０に接続されており、当該指紋入力部５０に入力された指紋に基づいて、利用者の同定等の処理を実行する。
【００３９】
入力部２０は、携帯情報端末１において外部から情報を入力されるキーである、上キー２１、下キー２２、左キー２３、右キー２４、選択キー２５、および、取消キー２６の総称である。制御部１０は、これらのキーのそれぞれに対する操作を独立して認識することができる。制御部１０は、これらのキーのそれぞれが操作されたことに応じて、外部から情報を入力される。
【００４０】
携帯情報端末１では、予め入力された時刻に録画動作を開始したり終了したりする、いわゆる録画予約の機能を有する。制御部１０は、タイマ７０の計時する時刻を参照して、このような録画予約に基づいた動作を実行する。
【００４１】
携帯情報端末１では、デコーダ１８が備えられ、受信された番組のデータは、デコーダ１８を介して、モニタ４０で画像として出力されるとともに、スピーカ６０で音声として出力される。
【００４２】
また、制御部１０は、ＬＥＤ３１〜３３のそれぞれの点灯および消灯を制御することができるとともに、上記した録画予約に関する時刻等の種々のデータを、データ記憶部１９に記憶させ、さらに、データ記憶部１９に記憶されたデータに基づいて動作を実行する。
【００４３】
図３は、制御部１０の実行するメインルーチンのフローチャートである。なお、図３のフローチャートは、本実施の形態の携帯情報端末１が特徴とする動作を中心に記載されている。
【００４４】
図３を参照して、電源を投入されると、制御部１０は、ステップＳ１（以下、ステップを省略する）で、モニタ４０に、予め定められた待機画面を表示させる。
【００４５】
次に、制御部１０は、Ｓ２で、タイマ７０およびデータ記憶部１９を参照することにより、現在の時刻が、データ記憶部１９に記憶された、予約録画を開始する時刻であるか否かを判断する。そして、制御部１０は、予約録画を開始する時刻であると判断すると、Ｓ８に処理を進め、そのような時刻ではないと判断すると、Ｓ３に処理を進める。
【００４６】
Ｓ３では、制御部１０は、入力部２０を介して、外部からの情報の入力があったか否かを判断する。そして、制御部１０は、入力がなかったと判断するとＳ２に処理を戻し、入力があったと判断すると、Ｓ４に処理を進める。
【００４７】
Ｓ４では、制御部１０は、Ｓ３で入力されたと判断した内容が、携帯情報端末１において、各種の設定を行なうためのものであったか否かを判断し、そうであれば、Ｓ１０に、そうでなければ、Ｓ５に、それぞれ処理を進める。
【００４８】
Ｓ５では、制御部１０は、Ｓ３で入力されたと判断した内容が、携帯情報端末１において録画予約のための情報を入力するためのものであったか否かを判断し、そうであれば、Ｓ６に、そうでなければ、Ｓ７に、それぞれ処理を進める。
【００４９】
Ｓ６では、制御部１０は、録画予約に関する情報の入力を受付けるための処理である録画予約処理を実行した後、Ｓ１に処理を戻す。なお、録画予約処理についての詳細は、図１１を参照して、後述する。
【００５０】
Ｓ７では、制御部１０は、Ｓ３で入力されたと判断した内容が、携帯情報端末１において録画動作を行なうための情報であるか否かを判断し、そうであれば、Ｓ８に、そうでなければ、Ｓ９に、それぞれ処理を進める。
【００５１】
Ｓ８では、制御部１０は、携帯情報端末１において録画動作を行なうための処理である録画処理を実行した後、Ｓ１に処理を戻す。なお、録画処理についての詳細は、図１２を参照して、後述する。
【００５２】
Ｓ９では、制御部１０は、Ｓ６における録画予約処理およびＳ８における録画処理以外の処理であって、Ｓ３で入力されたと判断した内容に基づいた処理を実行した後、Ｓ１に処理を戻す。
【００５３】
一方、Ｓ１０では、制御部１０は、モニタ４０に、図４に示されるような設定画面を表示させて、Ｓ１１に処理を進める。
【００５４】
なお、図４を参照して、設定画面４１には、当該画面のタイトルが表示される欄４１Ａと、設定する項目の候補を示す欄４１Ｂが含まれている。設定画面４１のサイズは、モニタ４０における表示領域のサイズ以下である。欄４１Ｂには、携帯情報端末１において受信するチャンネルの設定を行なうための設定項目に対応する「ＣＨ設定」、録画動作に関する設定を行なうための設定項目に対応する「録画設定」、および、録画動作が行なっていることを第三者に知らせないようにするための動作であるシークレット動作に関する設定項目に対応する「シークレット設定」という文字列が表示されている。
【００５５】
Ｓ１０では、制御部１０は、設定画面をモニタ４０に表示させるとともに、外部から、欄４１Ｂに示した設定項目の中から１の設定項目を選択するための情報の入力を受付ける状態にある。
【００５６】
そして、Ｓ１１では、制御部１０は、入力部２０を介して、情報の入力があったか否かを判断し、あったと判断すると、Ｓ１２に処理を進める。
【００５７】
Ｓ１２では、制御部１０は、Ｓ１１で入力されたと判断した内容が、設定を行なうための処理を取消すものであったか否かを判断し、そのようなものであると判断すると、Ｓ１に処理を戻す。一方、そのよなものではないと判断すると、Ｓ１３に処理を進める。なお、設定を行なうための処理を取消す情報とは、たとえば、取消キー２６が操作されることによって、入力される。
【００５８】
Ｓ１３では、制御部１０は、Ｓ１１で入力されたと判断した情報の具体的な内容をチェックする。そして、入力された内容が、ＣＨ設定を選択するものであれば、Ｓ１４でチャンネル設定のための処理を実行した後、Ｓ１に処理を戻す。また、入力された内容が、録画設定のためのものであれば、Ｓ１６で録画設定のための処理を実行した後、Ｓ１に処理を戻す。また、入力された内容が、シークレット設定のためのものであれば、Ｓ１５で、シークレット設定のための処理を実行した後、Ｓ１に処理を戻す。
【００５９】
ここで、シークレット設定のための処理（シークレット設定処理）のサブルーチンのフローチャートである図５を参照して、この処理の具体的な内容を説明する。
【００６０】
図５を参照して、シークレット設定処理では、制御部１０は、まず、Ｓ１５００で、モニタ４０に、図６に示したようなシークレット設定画面を表示させ、処理をＳ１５０１に進める。
【００６１】
図６を参照して、シークレット設定画面４２には、画面のタイトルを表示する欄４２Ａ、利用者に対して入力する内容を説明するためのメッセージを表示する欄４２Ｂ、および、上記したシークレット動作に関する設定が可能な項目の候補を表示する欄４２Ｃが含まれる。なお、欄４２Ｃには、具体的には、シークレット動作を実行するか否かを設定するための項目に対応する「シークレットＯＮ／ＯＦＦ切替」、シークレット動作が実行された際に第三者に知られないようにする動作の範囲を設定するための項目に対応する「有効範囲」、および、シークレット動作の実行に関する時刻（当該動作の開始時刻および／または終了時刻）を設定するための項目に対応する「タイマーＯＮ」という文字列が表示されている。
【００６２】
なお、Ｓ１５００では、制御部１０は、シークレット設定画面４２をモニタ４０に表示させるとともに、欄４２Ｃに示した、設定が可能な項目の中から１の候補を選択する情報の入力を受付ける状態にある。
【００６３】
Ｓ１５０１では、制御部１０は、外部から情報の入力があったか否かを判断し、あったと判断すると、Ｓ１５０２に処理を進める。
【００６４】
Ｓ１５０２では、制御部１０は、Ｓ１５０１で入力があったと判断した内容が、取消キー２６が操作されたことによるものであったか否かを判断する。そして、制御部１０は、取消キー２６が操作されたことによるものであったと判断すると、利用者がシークレット設定処理の取消を希望しているものと認識して、Ｓ１に処理を戻す。一方、そうではないと判断すると、Ｓ１５０３に処理を進める。
【００６５】
Ｓ１５０３では、制御部１０は、Ｓ１５０１で入力があったと判断した内容のチェックを行なう。そして、制御部１０は、当該内容が、「シークレットＯＮ／ＯＦＦ切替」に対応すると判断するとＳ１５０４に、「有効範囲」に対応すると判断するとＳ１５０７に、「タイマーＯＮ」に対応するものであればＳ１５１０に、それぞれ処理を進める。
【００６６】
Ｓ１５０４では、制御部１０は、図７に示すようなＯＮ／ＯＦＦ切替用画面をモニタ４０に表示させて、Ｓ１５０５に処理を進める。
【００６７】
図７を参照して、ＯＮ／ＯＦＦ切替用画面４３には、当該画面のタイトルを表示する欄４３Ａ、利用者に対して入力する内容を説明するためのメッセージを表示する欄４３Ｂ、および、設定が可能な項目の候補を表示する欄４３Ｃが含まれる。シークレット設定をＯＮにするとは、携帯情報端末１にシークレット動作を実行させることに対応し、シークレット設定をＯＦＦにするとは、当該シークレット動作を実行させないことに対応する。なお、欄４３Ｃには、シークレット動作をＯＮさせるための「はい」というメッセージと、ＯＦＦさせるための「いいえ」というメッセージとが表示されている。
【００６８】
そして、Ｓ１５０５で、制御部１０は、シークレット動作をＯＮさせるかＯＦＦさせるかの入力を受付ける。このとき、制御部１０は、入力された内容を、データ記憶部１９の適切な領域に記憶させる。なお、利用者は、入力部２０を適宜操作することにより、当該内容を入力する。
【００６９】
そして、Ｓ１５０６で、制御部１０は、モニタ４０に確認画面を表示させた後、リターンする。確認画面とは、Ｓ１５０５で入力を受付けた内容を、確認的に利用者に対して示すための画面である。図８に、Ｓ１５０６で表示される確認画面の一例を示す。
【００７０】
図８を参照して、確認画面４４には、当該画面のタイトルを示す欄４４Ａと、利用者の入力した内容を示す欄４４Ｂとが含まれている。なお、確認画面４４は、シークレット設定をＯＮする旨の情報が入力された際の確認画面であるため、欄４４Ｂには、「シークレット設定をＯＮにしました。」というメッセージが示されている。
【００７１】
Ｓ１５０７では、制御部１０は、有効範囲設定用画面をモニタ４０に表示させる。有効範囲設定用画面の一例を、図９に示す。
【００７２】
図９を参照して、有効範囲設定用画面４５には、当該画面のタイトルを表示するための欄４５Ａ、利用者に対して入力する内容を説明するためのメッセージを表示する欄４５Ｂ、および、設定が可能な項目の候補を表示する欄４５Ｃが含まれる。
【００７３】
なお、欄４５Ｃには、９のシークレット動作に関する項目が順番に表示されている。
【００７４】
欄４５Ｃの１番目に表示されている項目である「ＣＨ表示なし」とは、シークレット動作の実行中に録画動作が実行される際に、一般的な録画動作の際にモニタ４０に表示される録画チャンネル表示欄４０２をモニタ４０に表示させないようにするための項目である。
【００７５】
欄４５Ｃの２番目に表示されている項目である「録画表示なし」とは、シークレット動作の実行中に録画動作が実行される際に、一般的な録画動作の際にモニタ４０に表示される録画中画像４０１Ａをモニタ４０に表示させないようにするための項目である。
【００７６】
欄４５Ｃの３番目に表示されている項目である「録画ＬＥＤ消灯」とは、シークレット動作の実行中に録画動作が実行される際に、一般的な録画動作の際に点灯するＬＥＤ３１を消灯させるための項目である。
【００７７】
欄４５Ｃの４番目に表示されている項目である「音声出力なし」とは、シークレット動作の実行中に録画動作が実行される際に、一般的な録画動作の際にスピーカ６０から出力される録画中の番組の音声を出力させないようにするための項目である。
【００７８】
欄４５Ｃの５番目に表示されている項目である「モニタ表示（待機画面）」とは、シークレット動作の実行中に録画動作が実行される際に、一般的な録画動作の際にモニタ４０で表示される録画中の番組の画像の代わりに、上記した待機画面を表示させるための項目である。
【００７９】
欄４５Ｃの６番目に表示されている項目である「番組受信ＬＥＤ消灯」とは、シークレット動作の実行中に録画動作が実行される際に、一般的な録画動作の際に点灯するＬＥＤ３２を消灯させるための項目である。
【００８０】
欄４５Ｃの７番目に表示されている項目である「モニタ消灯」とは、シークレット動作の実行中に録画動作が実行される際に、一般的な録画動作の際にモニタ４０で録画中の番組の画像が表示される代わりに、モニタ４０にいかなる画像も表示させず、当該モニタ４０を消灯させるための項目である。
【００８１】
欄４５Ｃの８番目に表示されている項目である「電源ＬＥＤ消灯」とは、シークレット動作の実行中に録画動作が実行される際に、一般的な録画動作の際に点灯するＬＥＤ３３を消灯させるための項目である。
【００８２】
欄４５Ｃの９番目に表示されている項目である「入力を受付けない」とは、シークレット動作の実行中に録画動作が実行される際に、一般的な録画動作の際には制御部１０によって情報の入力が受付けられるような入力部２０への操作が行なわれても、パスワード等の特定の情報の入力以外、情報の入力を受付けられないようにするための項目である。
【００８３】
有効範囲設定用画面４５が表示されている際には、ユーザは、たとえば、「１」〜「９」の数値を入力することにより、シークレット動作が実行される際に携帯情報端末１に実行させる特別な動作の範囲を入力することができる。具体的には、ユーザは、上記した１番目から９番目の項目に対応した動作の中から、入力した数値までの動作を、シークレット動作が実行されるときに携帯情報端末１に実行させる。さらに具体的には、ユーザは、１番目から４番目までの項目に対応する動作を実行させたいときには、「４」という数値を入力する。これにより、上記した１番目から９番目の項目に対応する動作の中から、１番目〜４番目の動作、つまり、「ＣＨ表示なし」「録画表示なし」「録画ＬＥＤ消灯」および「音声出力なし」のそれぞれに対応する４つの動作を、シークレット動作を実行する携帯情報端末１に実行させることができる。
【００８４】
Ｓ１５０８では、制御部１０は、ユーザから、有効範囲設定用画面４５に対応した「１」〜「９」のいずれかの数値の入力を、設定範囲の入力として受付ける。なお、制御部１０は、受付けた設定範囲を、データ記憶部１９の適切な領域に記憶させる。
【００８５】
そして、Ｓ１５０９で、制御部１０は、モニタ４０に確認画面を表示させた後、リターンする。確認画面とは、Ｓ１５０８で入力を受付けた内容を、確認的に利用者に対して示すための画面である。図１０に、Ｓ１５０９で表示される確認画面の一例を示す。
【００８６】
図１０を参照して、確認画面４６には、当該画面のタイトルを示す欄４６Ａと、シークレット動作が実行された際に携帯情報端末１に実行させる特別な動作の範囲の設定（指定）が完了した旨を告げるメッセージを表示する欄４６Ｂと、利用者の設定した内容を示す欄４６Ｃとが含まれている。なお、図１０には、欄４６Ｃに示されるように、確認画面の一例として、上記の特別な動作として「ＣＨ表示なし」「録画表示なし」「録画ＬＥＤ消灯」および「音声出力なし」のそれぞれに対応する４つの動作が設定された際の確認画面が示されている。
【００８７】
一方、Ｓ１５１０では、制御部１０は、時間設定用画面をモニタ４０に表示させる。時間設定用画面とは、シークレット動作の開始および終了の時刻を設定するための画面である。
【００８８】
そして、Ｓ１５１１で、制御部１０は、入力部２０を介して、シークレット動作の開始および／または終了の時刻の入力を受付けるとともに、受付けた時刻に関する情報を、データ記憶部１９の適切な領域に記憶させる。なお、利用者は、入力部２０を適宜操作することにより、上記の時刻に関する情報を入力する。
【００８９】
そして、Ｓ１５１２で、制御部１０は、モニタ４０に、Ｓ１５１１で入力を受付けた時刻に関する情報を確認的に利用者に対して示すための確認画面をモニタ４０に表示させた後、リターンする。
【００９０】
以上説明したシークレット設定処理において、Ｓ１５０６、Ｓ１５０９、および、Ｓ１５１２における確認画面の表示は、一定時間だけ行なわれても良いし、利用者から、入力部２０に対して当該表示を終了させるための操作がなされるまで行なわれても良い。
【００９１】
次に、Ｓ６（図３参照）の録画予約処理の内容を、当該処理のサブルーチンのフローチャートである図１１を参照して、説明する。
【００９２】
図１１を参照して、録画予約処理では、制御部１０は、まず、Ｓ６０１で、利用者によって入力部２０を適宜操作されることにより入力される、録画するチャンネルを指定する情報の入力を受付ける。なお、制御部１０は、ここで受付けた情報を、データ記憶部１９の適切な領域に記憶させる。
【００９３】
次に、制御部１０は、Ｓ６０２で、利用者によって入力部２０を適宜操作されることにより入力される、録画を開始する時刻を指定するための情報の入力を受付ける。なお、制御部１０は、ここで受付けた情報を、データ記憶部１９の適切な領域に記憶させる。
【００９４】
次に、制御部１０は、Ｓ６０３で、利用者によって入力部２０を適宜操作されることにより入力される、録画を終了する時刻を指定するための情報の入力を受付ける。なお、制御部１０は、ここで受付けた情報を、データ記憶部１９の適切な領域に記憶させる。
【００９５】
そして、制御部１０は、Ｓ６０４で、Ｓ６０１〜Ｓ６０３において受付けた情報で特定される録画動作について、シークレット動作を行なうか否かの情報を受付け、当該受付けた内容をデータ記憶部１９の適切な領域に記憶させた後、リターンする。なお、Ｓ６０４では、制御部１０は、具体的には、Ｓ６０１〜Ｓ６０３において受付けた情報で特定される録画動作についてのシークレット動作を予めシークレット設定処理（図５参照）において受付けた内容に従ったものとするか否かの情報を受付ける。
【００９６】
次に、Ｓ８（図３参照）の録画処理の内容を、当該処理のサブルーチンのフローチャートである図１２を参照して、説明する。
【００９７】
図１２を参照して、録画処理では、制御部１０は、まず、Ｓ８０１で、録画するチャンネルとして指定されたチャンネルの画像をチューナ１５によって受信させ、当該チャンネルの番組データの記録部１１への記録を開始した後、Ｓ８０２に処理を進める。ここで、制御部１０は、データ記憶部１９に「録画するチャンネルを指定する情報」が記憶されている場合、つまり、録画予約に基づいた録画動作を実行している場合、当該「録画するチャンネルを指定する情報」に基づいて、Ｓ８０１の処理対象となるチャンネルを決定する。一方、データ記憶部１９にそのような情報が記憶されていない場合、つまり、携帯情報端末１において番組の視聴中に、入力部２０に対して録画を開始する旨の操作がなされた場合には、現在視聴中のチャンネルが、Ｓ８０１の処理対象となるチャンネルとして決定される。
【００９８】
Ｓ８０２では、制御部１０は、データ記憶部１９を参照することにより、シークレット設定がＯＮにされているか否かを判断する。そして、ＯＮにされていると判断すると、Ｓ８０３に、ＯＦＦにされていると判断すると、Ｓ８１１に、それぞれ処理を進める。
【００９９】
Ｓ８０３では、制御部１０は、データ記憶部１９を参照することにより、Ｓ１５０７〜Ｓ１５０９の処理によって設定された、シークレット動作の際に実行される範囲をチェックし、Ｓ８０４に処理を進める。
【０１００】
Ｓ８０４では、制御部１０は、Ｓ８０３でチェックした内容に基づいて、モニタ４０の表示内容を制御する。具体的には、制御部１０は、データ記憶部１９において、シークレット動作の実行中に録画動作が実行される際に、録画チャンネル表示欄４０２や録画中画像４０１Ａ等、モニタ４０に表示させないように設定されているものがあれば、図１に示したようなモニタ４０における表示から、それらの表示を行なわないように、モニタ４０の表示内容を制御する。
【０１０１】
次に、Ｓ８０５で、制御部１０は、Ｓ８０３でチェックした内容に基づいて、スピーカ６０における出力の制御を行なう。なお、データ記憶部１９において、シークレット動作の実行中の録画動作について、音声出力を行なわないような設定がなされている場合には、Ｓ８０５では、音声を出力しないように、スピーカ６０に対して制御を行なう。
【０１０２】
次に、Ｓ８０６で、制御部１０は、Ｓ８０３でチェックした内容に基づいて、ＬＥＤ３１〜３３の点灯／消灯の制御を行なう。具体的には、たとえば、シークレット動作の実行中の録画動作について、ＬＥＤ３１を消灯させる旨が設定されている場合には、当該設定に従って、ＬＥＤ３１を消灯させる。
【０１０３】
次に、Ｓ８０７で、録画を終了する条件が成立したか否かを判断する。録画を終了する条件が成立するとは、たとえば、タイマ７０の計時する時刻が、データ記憶部１９に記憶された録画を終了させる時刻となったことを意味するが、その他にも、入力部２０に対して録画を停止させるための情報が入力されたことも該当する。そして、録画を終了する条件が成立したと判断すると、制御部１０は、Ｓ８１７に処理を進める。Ｓ８１７では、制御部１０は、番組データの記録部１１への記録動作を停止させて、リターンする。一方、まだ、録画を終了する条件が成立していないと判断すると、Ｓ８０８に処理を進める。
【０１０４】
Ｓ８０８では、制御部１０は、入力部２０に対して操作があったか否かを判断し、操作があったと判断するとＳ８０９に処理を進め、操作がなかったと判断するとＳ８０７に処理を戻す。
【０１０５】
Ｓ８０９では、制御部１０は、入力部２０に対してなされた操作がシークレット動作をＯＦＦ（解除）するための操作であったか否かを判断する。シークレット動作をＯＦＦするための操作としては、たとえば、パスワードを入力する操作や指紋入力部５０に対する適切な指紋の入力を挙げることができる。そして、そのような操作であったと判断すると、Ｓ８１１に処理を進め、そのような操作以外の操作であったと判断するとＳ８１０に処理を進める。
【０１０６】
Ｓ８１０では、制御部１０は、操作に応じた処理を実行し、Ｓ８０７に処理を戻す。なお、Ｓ８１０における「操作に応じた処理」とは、入力部２０に対してなされた操作に応じて入力部２０に入力された情報に従った処理のことを言うが、データ記憶部１９に、シークレット動作の実行中の録画動作中に実行する特別な動作として、図９の欄４５Ｃの「入力を受付けない」という項目に対応する動作が設定されている場合には、Ｓ８１０では、入力部２０に対してなされた操作が入力として受付けられないため、Ｓ８１０では「操作に応じた処理」としてはいかなる処理も実行されず、Ｓ８０７に処理が戻される。
【０１０７】
一方、Ｓ８１１では、制御部１０は、モニタ４０の表示内容の制御を行なう。なお、Ｓ８１１における表示内容の制御とは、図１に示されているように、モニタ４０に、録画されている番組の画像、録画時間表示欄４０１および録画チャンネル表示欄４０２を表示させ、さらに、録画時間表示欄４０１の中に録画中画像４０１Ａを表示させる制御である。
【０１０８】
次に、Ｓ８１２で、制御部１０は、スピーカ６０の出力制御を行なう。Ｓ８１２における出力制御とは、予め設定された音量で、録画中の番組の音声をスピーカ６０から出力させるための制御である。
【０１０９】
次に、Ｓ８１３で、制御部１０は、ＬＥＤ３１〜３３を点灯させる制御を行なう。
【０１１０】
次に、Ｓ８１４で、制御部１０は、録画を終了させるための条件が成立したか否かを判断する。そして、そのような条件が成立したと判断すると、Ｓ８１７に処理を進め、まだそのような条件が成立していないと判断すると、Ｓ８１５に処理を進める。
【０１１１】
Ｓ８１５では、制御部１０は、入力部２０に対する情報の入力があったか否かを判断し、入力があったと判断すると、Ｓ８１６で入力された情報に応じた処理を実行した後、Ｓ８１４に処理を戻す。一方、入力がなかったと判断すると、そのまま、Ｓ８１４に処理を戻す。
【０１１２】
以上説明した本実施の形態では、携帯情報端末１は、シークレット動作として、録画中に、一般的な録画動作では表示される表示の少なくとも一部を停止させたり、一般的な録画動作では出力される音声の出力を停止させたり、一般的な録画動作では受付けられる入力の受付を停止したりすることができる。
【０１１３】
携帯情報端末１では、一般的な録画動作が実行される際には、図１に示されるように、モニタ４０に、録画されている番組の画像、録画時間表示欄４０１および録画チャンネル表示欄４０２が表示され、さらに、録画時間表示欄４０１の中に録画中画像４０１Ａが表示される。そして、携帯情報端末１において、録画動作においてシークレット動作が実行され、当該シークレット動作として、録画時間表示欄４０１、録画チャンネル表示欄４０２、および、録画中画像４０１Ａの表示を停止させる旨が設定されていると、録画動作中のモニタ４０では、図１３に示されるように、録画されている番組の画像のみが表示されるようになる。これにより、携帯情報端末１がこの状態で放置され、第三者が当該放置された携帯情報端末１のモニタ４０を見た場合であっても、当該第三者は、当該携帯情報端末１が録画動作を実行していることや、当該録画動作が開始された時刻や終了する時刻を認識することが、難しくなる。
【０１１４】
また、シークレット動作に関する設定は、入力部２０に対してシークレット設定処理（図５参照）を実行させるための情報の入力がなされれば、携帯情報端末１において録画動作が行なわれている最中であっても、行なうことができる。このような場合には、図１４に示されるように、モニタ４０において、図１に示したような録画動作中になされる表示の上に、設定画面４１が表示される。
【０１１５】
また、シークレット動作の内容に関する設定は、図９を主に参照して説明したように、動作に関する項目が予め定められた順序で並べられ、どの順序で並べられた項目に対応する動作までを実行するかが利用者によって指定されることによって実行されていたが、本発明は、これに限定されない。シークレット動作の内容に関する設定は、利用者が、シークレット動作として実行されることを希望する動作を１つずつ入力して指定するようにして、設定されても良い。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１７】
【図１】本発明の一実施の形態である携帯情報端末の斜視図である。
【図２】図１の携帯情報端末の制御ブロック図である。
【図３】図１の携帯情報端末において実行されるメインルーチンのフローチャートである。
【図４】図１の携帯情報端末のモニタに表示される設定画面の一例を示す図である。
【図５】図３のシークレット設定処理のサブルーチンのフローチャートである。
【図６】図１の携帯情報端末のモニタに表示されるシークレット設定画面の一例を示す図である。
【図７】図１の携帯情報端末のモニタに表示されるＯＮ／ＯＦＦ切替用画面の一例を示す図である。
【図８】図１の携帯情報端末のモニタに表示される確認画面の一例を示す図である。
【図９】図１の携帯情報端末のモニタに表示される有効範囲設定用画面の一例を示す図である。
【図１０】図１の携帯情報端末のモニタに表示される確認画面の一例を示す図である。
【図１１】図３の録画予約処理のサブルーチンのフローチャートである。
【図１２】図３の録画処理のサブルーチンのフローチャートである。
【図１３】図１の携帯情報端末においてシークレット動作が実行されている際に録画動作が行なわれている際の、モニタの表示内容を説明するための図である。
【図１４】図１の携帯情報端末において、録画動作中にシークレット動作に関する設定がなされる際のモニタの表示内容を説明するための図である。
【符号の説明】
【０１１８】
１  携帯情報端末、１Ａ  外装部、１０  制御部、１２  外部メディアドライバ、１３  アンテナ、１４  通信制御部、１５  チューナ、２０  入力部、２１  上キー、２２  下キー、２３  左キー、２４  右キー、２５  選択キー、２６  取消キー、３１〜３３  ＬＥＤ、４０  モニタ、１００  ＳＤカード、４０１  録画時間表示欄、４０１Ａ  録画中画像、４０２  録画チャンネル表示欄。
【図１】
2005347783.tif 000003
【図２】
2005347783.tif 000004
【図３】
2005347783.tif 000005
【図４】
2005347783.tif 000006
【図５】
2005347783.tif 000007
【図６】
2005347783.tif 000008
【図７】
2005347783.tif 000009
【図８】
2005347783.tif 000010
【図９】
2005347783.tif 000011
【図１０】
2005347783.tif 000012
【図１１】
2005347783.tif 000013
【図１２】
2005347783.tif 000014
【図１３】
2005347783.tif 000015
【図１４】
2005347783.tif 000016